(57)【特許請求の範囲】
【請求項１】
基部において一体で且つ互いに平行に対面する一対の主体部を形成した略逆Ｕ字状の一体構造を有すると共に、前記一対の主体部が重なる方向の平面視で主体部の基部から主体部開放方向に向けて前記基部で連通する略Ｕ字状の切り欠き部が形成されている金具本体と、前記切欠き部の底部に固定対象の鉄筋を挿入載置した状態で、該鉄筋と前記基部の内面との間に金具本体の一端縁側から挿入、打ち込まれて前記鉄筋を金具本体に挟持固定する楔部材と、を備え、前記一対の主体部の一方には、前記切欠き部の近傍で、前記鉄筋を挟持固定状態にある楔部材よりも主体部開放方向に寄った位置に、セパレータの一端を取り付けるねじ穴が設けられ、主体部の他方にはこのねじ穴と対向するセパレータの一端を貫通できる貫通孔を設けていることを特徴とするコンクリート型枠用根止め金具。
【請求項２】
基部において一体で且つ互いに平行に対面する一対の主体部を形成した略逆Ｕ字状の一体構造を有すると共に、前記一対の主体部が重なる方向の平面視で主体部の基部から主体部開放方向に向けて前記基部で連通する略Ｕ字状の切り欠き部が形成されている金具本体と、前記切欠き部の底部に固定対象の鉄筋を挿入載置した状態で、該鉄筋と前記基部の内面との間に金具本体の一端縁側から挿入、打ち込まれて前記鉄筋を金具本体に挟持固定する楔部材と、を備え、前記一対の主体部の、前記切欠き部の近傍で、前記鉄筋を挟持固定状態にある楔部材よりも主体部開放方向に寄った位置に、セパレータの一端を取り付けるための、相互に異なる径のねじ穴が複数設けられていることを特徴とするコンクリート型枠用根止め金具。
【請求項３】
前記楔部材は、打ち込み用工具による衝撃を受けるべき尾端縁に対して金具本体の内面に接する一方の長手縁が直角を成すと共に鉄筋に接する他方の長手縁が鋭角を成していることを特徴とする請求項１又は請求項２に記載のコンクリート型枠用根止め金具。
【請求項４】
前記金具本体は、前記一対の主体部が重なる方向の平面視で前記切欠き部が一対の主体部の中央に位置する左右対称形状を有し、前記金具本体の両側端縁のいずれの側からも前記楔部材を挿入、打ち込み可能としたことを特徴とする請求項１〜請求項３のいずれかに記載のコンクリート型枠用根止め金具。
【発明の詳細な説明】
【０００１】
【発明の属する技術分野】
本発明は、コンクリート型枠用の根止め金具に関するものである。
【０００２】
【従来の技術】
コンクリート壁やコンクリート柱等の各種コンクリート構造物を構築する際には、図７に示すように、まず鋳型となるコンクリート型枠４０を組み立てておき、その型枠内にコンクリートを打設してコンクリートの養生後に型枠を解体、取り外している。
【０００３】
このコンクリート型枠４０の組立固定は、通常、既設のコンクリートスラブ４１から突出している鉄筋４２を利用し、この鉄筋４２と型枠４０との間に根止め金具３０を介在させて両者を固定することによって行われている。
【０００４】
従来の一般的なコンクリート型枠用根止め金具は、鉄筋を挟持固定する機構を備えると共に、コンクリート型枠に対して、型枠相互の間隔を保持して型枠を固定するための手段も備えている。
【０００５】
即ち、根止め金具３０は、鉄筋４２を挟持して固定されると共に、金具本体に棒状あるいは管状のセパレータ３６の一端部が取付けられており、このセパレータ３６の他端部に螺合されたコーン３７先端から突出するボルトを型枠４０の下方の所定高さに設けられたボルト貫通孔に貫通させ、コーン３７位置を所定の型枠間隔になるよう調整することにより、型枠４０の位置決めが行われる。
【０００６】
この位置決めの後、ボルト貫通孔から突出したコーン３７先端のボルトに、型枠４０の外側から型枠締付金具をねじ込んで固定すれば、鉄筋４２に固定された根止め金具３０に型枠４０が固定される。このように、各型枠４０をそれぞれ互いに所定間隔となるように根止め金具３０を介して鉄筋４２に固定することにより、型枠４０が組み立てられる。
【０００７】
【発明が解決しようとする課題】
しかしながら、従来の根止め金具は、セパレータが金具本体に溶接固定されるものであったため、異なるサイズのセパレータを用いたい場合には、セパレータサイズ別に金具本体を製造しておき、金具本体ごと変更しなければ成らなず、根止め金具を共通して用いることができなかった。
【０００８】
このような従来の根止め金具は、金具本体に、鉄筋の挟持固定するための機構を形成するだけでなく、セパレータの溶接固定という工程が必要な分、製造工程に手間がかかった。しかも、前記のように、セパレータの種類毎に金具本体を製造しておかなければ成らないため、製造から保管管理、現場に応じた選択など、常に取り扱いが煩雑となっていた。そこで、セパレータを金具本体に溶接固定することなく、任意のセパレータを使用直前に取付けられる根止め金具が考えられ始めている。
【０００９】
例えば、図６に示すような根止め金具３０では、金具本体３１は互いに平行に対面する一対の主体部３２が形成されるように断面Ｕ字形状に屈曲されており、、半円形状の屈曲部内に鉄筋４２を当接させて、一対の主体部３２の対向する位置それぞれに穿設されたスリット開口３３に楔部材３４を挿入、打ち込むことによって鉄筋４２を挟持固定するものであるが、金具本体３１の屈曲頭頂部に高ナット３５が溶接固定されており、このナット３５に、セパレータ３６のねじ加工された一端部をねじ込んで取付けるものである。
【００１０】
しかしながら、この図５の根止め金具においては、セパレータはねじ込みによる取付であるため、ねじ加工さえナット３５に合えば異なる長さや、サイズ、タイプのセパレータを任意に選択して取付けることはできるが、セパレータ取付のためのナット部材を溶接固定するという工程が必要であり、製造工程に手間が係ることは従来と変わりない。
【００１１】
このように、現在では、設計、製造がより容易でありながら、任意のセパレータを選択可能に取付けることができ、取り扱いが容易なねじ止め金具が求められている。
【００１２】
本発明の目的は、上記問題点に鑑み、従来より構成が簡便で製造が容易であると共に、任意のセパレータを選択可能に取付けることのできるコンクリート型枠用根止め金具を提供することにある。
【００１３】
【課題を解決するための手段】
上記目的を達成するため、請求項１に記載の発明に係るコンクリート型枠用根止め金具は、基部において一体で且つ互いに平行に対面する一対の主体部を形成した略逆Ｕ字状の一体構造を有すると共に、前記一対の主体部が重なる方向の平面視で主体部の基部から主体部開放方向に向けて前記基部で連通する略Ｕ字状の切り欠き部が形成されている金具本体と、前記切欠き部の底部に固定対象の鉄筋を挿入載置した状態で、該鉄筋と前記基部の内面との間に金具本体の一端縁側から挿入、打ち込まれて前記鉄筋を金具本体に挟持固定する楔部材と、を備え、前記一対の主体部の一方には、前記切欠き部の近傍で、前記鉄筋を挟持固定状態にある楔部材よりも主体部開放方向に寄った位置に、セパレータの一端を取り付けるねじ穴が設けられ、主体部の他方にはこのねじ穴と対向するセパレータの一端を貫通できる貫通孔を設けているものである。
また、請求項２に記載の発明は、 基部において一体で且つ互いに平行に対面する一対の主体部を形成した略逆Ｕ字状の一体構造を有すると共に、前記一対の主体部が重なる方向の平面視で主体部の基部から主体部開放方向に向けて前記基部で連通する略Ｕ字状の切り欠き部が形成されている金具本体と、前記切欠き部の底部に固定対象の鉄筋を挿入載置した状態で、該鉄筋と前記基部の内面との間に金具本体の一端縁側から挿入、打ち込まれて前記鉄筋を金具本体に挟持固定する楔部材と、を備え、前記一対の主体部の、前記切欠き部の近傍で、前記鉄筋を挟持固定状態にある楔部材よりも主体部開放方向に寄った位置に、セパレータの一端を取り付けるための、相互に異なる径のねじ穴が複数設けられていることを特徴とする。
【００１４】
また請求項３に記載の発明に係るコンクリート型枠用根止め金具は、請求項１又は２に記載の発明に係るコンクリート型枠用根止め金具において、前記楔部材は、打ち込み用工具による衝撃を受けるべき尾端縁に対して金具本体の内面に接する一方の長手縁が直角を成すと共に鉄筋に接する他方の長手縁が鋭角を成していることを特徴とするものである。
【００１５】
また請求項４に記載の発明に係るコンクリート型枠用根止め金具は、請求項１〜３に記載の発明に係るコンクリート型枠用根止め金具において、前記一対の主体部が重なる方向の平面視で前記切欠き部が一対の主体部の中央に位置する左右対称形状を有し、前記金具本体の両側端縁のいずれの側からも前記楔部材を挿入、打ち込み可能としたものである。
【００１６】
本発明のコンクリート型枠用根止め金具においては、基部において一体で互いに平行に対面する一対の主体部を形成した略逆Ｕ状の一体構造を有する金具本体の前記主体部に、鉄筋挟持部としての略Ｕ字状の切欠き部を基部から主体部開放方向に向けて形成したものである。この両切欠き部が連通する基部から切欠き部の底部に鉄筋を挿入載置し、載置状態の鉄筋から金具本体の基部内面との間に楔部材を挿入して打ち込むという簡単な操作によって鉄筋を金具本体の切欠き部の底部との間に挟持し、根止め金具を鉄筋に容易に固定することができる。
【００１７】
また金具本体の略逆Ｕ字状の構造は、金属平板をプレス加工等によって折曲する工程で容易に形成でき、その後、一つの主体部に同時に切欠き部を形成すれば良い。
【００１８】
さらに、本発明においては、ねじ穴が、一対の主体部の少なくとも一方に、前記鉄筋が挟持される切欠き部の近傍で前記鉄筋を挟持固定状態にある楔部材よりも主体部開放方向に寄った位置に設けられるものである。このねじ穴は、セパレータの一端部をねじ込む取付け部とすることのできるものである。
【００１９】
即ち、本発明においては、ねじ穴とセパレータの一端部のねじ加工とが互いに螺合するものであれば、金具本体は共通のものとし、様々な長さやサイズ、タイプの異なるセパレータを任意に選択して使用直前に取付けることができる。
【００２０】
しかも、セパレータ取付け部であるねじ穴が、鉄筋挟持部と共に金具本体の主体部という同一領域に形成されており、従来のようにセパレータを直接金具本体に溶接固定する必要も、またセパレータを取付けるためのナット部材を溶接固定する必要がなく、その分、製造工程の手間が省かれ、根止め金具自体の構成が簡略化されるものである。またこのように、従来より設計が簡略化されれば、金具自体も小型となり、必要な素材量を低減することもでき、金具本体は常に共通のものが使用できることからも、部材の製造から保管管理、搬送、現場の使用に亘って、取り扱いが非常に簡便となる。
【００２１】
また、セパレータの取付け用のねじ穴は、主体部の一方のみに取付ける構成としても、また、セパレータを一対の主体部間を貫通状態で取付けられるように両腕部の相当位置に貫通孔及びねじ穴をそれぞれ設ける構成としても良い。あるいは、一対の主体部のどちら側にも取付けられるように、それぞれにねじ穴を設けても良い。この場合、セパレータは共通のものがねじ込められるように、ねじ穴の回転方向を設定しておくのが簡便である。
【００２２】
また、一対の主体部のそれぞれに、異なる径のねじ穴をそれぞれ設けても、また一方の主体部に、異なる径、ねじ加工のねじ穴を複数個設けて、任意のねじ穴を対象とするセパレータに応じて適宜選択できる構成としても良い。
【００２３】
なお、本発明のねじ穴は、セパレータの取付け用に限らず、コンクリート型枠を構成するのに必要な各種の部材を取付けるのに利用することができる。この場合、取付け対象の部材に応じてねじ穴を形成すれば良い。これにより、鉄筋に本金具を介して各種の部材を固定することができる。
【００２４】
また、本発明の根止め金具の楔部材は、前記切欠き部の底部に載置状態にある鉄筋と金具本体の基部内面との間に挿入されて鉄筋を下方に押圧することにより挟持固定するものであるため、楔部材の形状としては、一方の長手縁が金具本体の基部内面に接しながら挿入できるように、打ち込み用工具による衝撃を受けるべき尾端縁に対して基部内面に接する一方の長手縁が直角を成すと共に、鉄筋に接する他方の長手縁が鋭角を成す形状とすれば良い。
【００２５】
即ち、この楔部材は、正面側（一対の主体部が重なる方向）から見た平面形状が略直角三角形となれば良い。従って、このような楔部材の構成としては、略直角三角形状の金属平板であっても良い。しかしながら、楔部材は、鉄筋との押圧接触において固定状態が緩まないように鉄筋に対してその軸方向に位置ズレし難く、両部材同士が引っ掛かりやすい形状とすることが好ましい。
【００２６】
一般的には、表面に均一なピッチで凸部が形成されている異形鉄筋が多く使用されていることから、楔部材の鉄筋に接触する端面が、この鉄筋表面の凸部間に嵌って鉄筋軸方向に沿った外力が金具本体に作用しても凸部で引っ掛かってその移動を規制できる形状であることが望ましい。
【００２７】
上記の平板状の楔部材でも、鉄筋に接する長手縁の端部が鉄筋表面の凸部に引っ掛かることはあるが、位置ズレすることなく凸部に引っ掛かるには、ほぼ凸部同士間隔に相当する厚みが必要となる。
【００２８】
もしくは、楔部材を、金具本体の基部内部に嵌合するような側断面形状において互いに対面する一対の鉄筋押さえ部を形成する逆Ｕ字状に形成し、この一対の鉄筋押さえ部の開放側端辺で鉄筋を押圧する構成が好適である。この場合、両鉄筋押さえ部の間隔を、鉄筋の凸部のピッチに応じて適当な距離に設定しておけば、両押さえ部の開放側端部がそれぞれ楔部材の挿入打ち込みに伴って所定位置の鉄筋凸部間の凹部に落ち込み、挟持固定状態では前記凸部と鉄筋押さえ部の開放側端部とが互いに引っ掛かって、鉄筋に対する金具本体の移動が規制され、根止め金具が緩んで鉄筋から外れることを防止する。この即断面逆Ｕ字形状の楔部材は、金具本体と同様に所定形状の金属平板からプレス加工での一工程で容易に製造できる。
【００２９】
また、金具本体を、一対の主体部が重なる方向の平面視で切欠き部が一対の主体部の中央に位置する左右対称形状とし、金具本体の両側端縁のいずれの側からも楔部材を挿入、打ち込める構成とすることがより望ましい。これにより、作業者は鉄筋の金具固定部位の状況に応じて、作業し易い方向から楔部材を打ち込むことができるため、根止め金具の鉄筋への固定作業が容易となる。
【００３０】
また、この場合、金具本体はどちら向きにしても鉄筋に固定できるため、一対の主体部のそれぞれに互いに異なるサイズのねじ穴を設けておけば、スペーサに応じてねじ穴を選択でき、同一の金具本体で異なるスペーサの取付けに対応することができる。
【００３１】
さらに、径の異なる鉄筋に対しては、楔部材の前記打ち込み衝撃を受ける尾端縁の長さ寸法を変更して鉄筋に接する側の長手縁の長手縁に対する鋭角度を変えれば、金具本体は同一形状のもので対応することができる。例えば、現状では、外径１３ｍｍ、１６ｍｍの２種の鉄筋が一般的に広く用いられているため、予め、これら両サイズの鉄筋用に尾端縁の長さの異なる２種の楔部材を用意しておけば良い。
【００３２】
以上のように、特に左右対称形状で両側端縁のいずれの側からも楔部材を打ち込める金具本体の場合、金具本体は同一形状のものを共用しても、楔部材も前記尾端縁の長さ寸法さえ変更すれば、異なるサイズのセパレータ、鉄筋に対応できるため、根止め金具を構成する部材数は非常に少なくて済み、製品の量産が非常に容易である。
【００３３】
【発明の実施の形態】
本発明の一実施形態としてのコンクリート型枠用根止め金具を、図示の実施態様と共に以下に説明する。図１は、本実施形態による根止め金具の全体構成を示す概略斜視図であり、図２は、図１の根止め金具による鉄筋の挟持固定状態を示す概略構成図であり、（ａ）は側面図、（ｂ）は正面図である。
【００３４】
本実施形態の根止め金具１０は、主に、基部において一体で互いに平行に対面する一対の主体部２を形成する略逆Ｕ字状の一体構造を有する金具本体１と、金具本体１の基部の内部形状より小さい側断面形状において互いに平行に対面する一対の鉄筋押さえ部７が形成された略逆Ｕ字状の楔部材６とから構成されるものである。
【００３５】
金具本体１の前記一対の主体部２には、これら主体部が重なる方向の平面視で主体部の基部から主体部開放方向に向けて前記基部で連通する略Ｕ字形状の切欠き部３が形成されており、この切欠き部３の底部に、両主体部間に亘って固定対象の鉄筋２０を挿入載置した状態で、該鉄筋２０と金具本体１の基部内面との間に金具本体１の一端縁側から楔部材６を挿入、打ち込むことによって、鉄筋２０が切欠き部３の底部側へ押圧され金具本体１と楔部材６との間に挟持固定されるものである。
【００３６】
なお、本実施形態においては、金具本体１を、一対の主体部２が重なる方向の平面視（図２（ｂ）の正面図）で切欠き部３が一対に主体部の中央に位置する左右対称形状とすることによって、金具本体の両端縁いずれの側からも楔部材６を挿入し打ち込めるものとした。この構成によって、作業者は作業し易い側から楔部材６を打ち込めるので、根止め金具１０の鉄筋２０への固定作業がより容易となる。
【００３７】
また本実施形態では、楔部材６は、側断面略逆Ｕ字形状として互いに平行に対面する一対の鉄筋押さえ部７を形成するものとし、これら鉄筋押さえ部７が重なる方向の平面視で、打ち込み時に衝撃を受けるべき尾端縁に対して金具本体１の基部内面に接する一方の長手縁が直角を成すと共に鉄筋２０に接する他方の長手縁、即ち鉄筋押さえ部７の開放側端辺が鋭角を成すという略直角三角形状を有しているものとした。
【００３８】
この楔部材６は、表面に凸部２１が形成された異形鉄筋に対してより強固な挟持固定ができる構成となっている。図２（ａ）の側面図、（ｂ）の正面図に示すように、楔部材６の、互いに平行に対面する一対の鉄筋押さえ部７の鉄筋に接する開放側の各端部は、打ち込みに伴って鉄筋表面の凸部２１間の凹部へ落ち込み、この凹部へ嵌り込んだ状態で挟持固定状態となる。
【００３９】
従って、一対の鉄筋押さえ部７の鉄筋２０を押圧している端辺部分は鉄筋軸方向への外力が作用しても、近くの凸部２１に引っ掛かって楔部材６の移動が規制されるため、挟持固定は強固に維持される。またこのような効果は金具本体１側においても同様に生じ、切欠き部３の底部が鉄筋表面の凸部２１に引っ掛かり、鉄筋軸方向への金具本体１のズレは困難となる。
【００４０】
また、本実施形態の根止め金具においては、金具本体１の一対の主体部２の一方に、切欠き部３の近傍で鉄筋２０の挟持固定状態にある楔部材６よりの主体部開放方向（図面下方向）に寄った位置に、セパレータ３６のねじ加工された一端部をねじ込んで取付けるためのねじ穴４が設けられている。
【００４１】
さらに、本実施形態では、金具本体１は、前述のように一対の主体部２の重なる方向の平面視で左右対称形状をもち、両端縁いずれの側からも楔部材６を挿入打ち込めるため、鉄筋２０に対して一対の主体部２の前後をどちら向きにしても鉄筋２０に固定できる。
【００４２】
そこで、ねじ穴４と対向する他方の主体部２の相当位置に、セパレータ３６の一端部が貫通できる貫通孔５を設けた。従って、セパレータ３６の一端部を貫通孔５に貫通させてねじ穴４に本体側からねじ込めば、他方の主体部２側から突出するようにセパレータ３６を取付けることができ、一対の主体部２の前後がどちら向きでもセパレータ３６を同じ向きに取付けることができると共に、セパレータ３６を金具本体１に対して互いに逆向きの前後どちら側にも取付けることができる。
【００４３】
もちろん、他方の主体部２の貫通孔５をねじ穴として、直接ねじ込める構成としても良い。また、一対の主体部２のそれぞれに、互いに異なる径のねじ穴を設けておき、一端部のねじサイズの異なるセパレータの使用に対応できる構成としても良い。例えば、現在用いられているセパレータは、ねじサイズが外径３／８インチ、５／１２インチのものが一般的であるので主体部２のそれぞれに予め３／８および５／１２用のねじ穴を形成しておけば、現場で使用されるセパレータのタイプに対応できる。さらに、同じ一方の主体部２に、それぞれ異なるねじ穴を複数個形成する構成としても良い。
【００４４】
また、一方の主体部２のみでセパレータ３６を支持する場合より、両方の主体部２で支持する方が取付け部の機械的強度が向上することから、一対の主体部２間に亘ってセパレータ３６の端部を橋架状態で支持できる構成がより望ましい。例えば、一対の主体部２の間にナット部材を介在させることによって容易に実現できる。
【００４５】
即ち、図３に示すように、一対の主体部２の対向位置に貫通孔８形成しておき、これら一対の主体部２の間に、両貫通孔８にそれぞれ両側のねじ穴開口が一致する位置にナット部材２５を設け、他方の主体部２の外側から六角ボルト２６などでねじ止めして該ナット部材２５を金具本体に固定すれば、このナット部材２５の一方のねじ穴開口へ一方の主体部２の貫通孔８からセパレータ３６の端部をねじ込んで取付けることができる。これによって、結果的にセパレータ３６の端部は、一対の主体部２の双方で支持されることとなり、支持強度は一方の主体部２のみに支持される場合より格段に向上する。
【００４６】
以上の如き本実施形態による根止め金具では、セパレータ３６の取付け部であるねじ穴４が、鉄筋挟持部である切欠き部３と共に金具本体１の主体部２という同一領域に形成されており、従来のように金具本体に延在部をさらに設けて加工したり別体のナット部材を溶接固定したりしてセパレータ取付けのための部位をさらに製造する手間や部位が省かれて、製造工程や設計が簡略化し、簡便で扱いやすい構成となっている。
【００４７】
なお、上記実施形態では、図４（ａ）の腕部端側から見た平面図に示すように一対の腕部７が互いに平行に対面する長手方向に亘って同一幅を持つ形状の楔部材を用いた場合を説明したが、一対の腕部７が互いに平行に対面する形状に限らず、図４（ｂ）に示すような長手方向の尾端縁側から先端に向かって幅が狭く変化する先細り形状のものでも良い。
【００４８】
また、本発明における楔部材は、上記の側断面形状において逆Ｕ字状のものに限らず、例えば、側断面略形状においてＴ字状のものや、平面視で略直角三角形状の平板で一対の主体部間隔に近い厚みで鉄筋接触端面に凹凸を形成したものなど、切欠き部３の底部に鉄筋を強固に押圧でき、挟持固定状態を位置ズレすることなく維持できるものであれば、様々なものが使用可能である。
【００４９】
但し、設計、製造工程が簡便なものほど望ましく、上記の側断面逆Ｕ字形状の楔部材は、金具本体同様に、金属平板をプレス加工等により折曲するだけで容易に製造でき、本発明に適した形状である。
【００５０】
また、鉄筋コンクリートに用いられる鉄筋としては、常に同じ径のものであるとは限らないが、楔部材のサイズのみの変更によって、金具本体は同一形状のものを共用できる。即ち、楔部材６は、鉄筋径が小さいものの場合には図５（ａ）に示すように尾端縁の長さ寸法Ｄが長く且つ鉄筋に接する側の長手縁の尾端縁に対する鋭角度が小さい設計とすればよく、鉄筋径が大きいものの場合には図５（ｂ）に示すように、尾端縁の長さ寸法ｄが短く且つ鉄筋に接する側の長手縁の尾端縁に対する鋭角度が大きい設計とすることによって対応することができる。
【００５１】
例えば、現状では外径１３ｍｍあるいは１６ｍｍの鉄筋が主に使用されていることから、この外径サイズ大小２種の鉄筋に対応して尾端縁長さ寸法の異なる２種の楔部材を予め用意しておけば、いずれの鉄金の場合でも、金具本体１は同一形状のものを共用して対応できる。このように金具本体は同一形状のものを共用し、前記尾端縁の長さ寸法の異なる数種の楔部材で、異なるサイズのセパレータや鉄筋に対応できるため、根止め金具を構成する部材数は非常に少なくて済み、製品の量産が非常に容易である。
【００５２】
なお、本発明の金具本体の主体部に形成されるねじ穴は、セパレータの取付け用に限らず、各種、コンクリート型枠の組立に必要な部材を取付けるのに利用することができる。この場合、対象となる部材に応じたねじ穴を形成しておけば、鉄筋に本金具を介して各種部材を取付けることが可能となる。
【００５３】
【発明の効果】
以上説明したとおり、本発明のコンクリート型枠用根止め金具は、従来より構成が簡便で製造が容易であると共に、任意のセパレータを選択可能に取付けるとができるという効果がある。
【図面の簡単な説明】
【図１】本発明の一実施の形態としてのコンクリート型枠用根止め金具の概略構成図である。
【図２】図１の根止め金具による鉄筋挟持固定状態を示す説明図であり、（ａ）は側面図、（ｂ）は正面図である。
【図３】金具本体へのセパレータ取付け構成の他の例を示す概略構成図であり、（ａ）は側面図、（ｂ）は上面図である。
【図４】楔部材の一対の腕部の端部側からみた平面図であり、（ａ）は図１の実施形態で用いた楔部材、（ｂ）は本実施形態と異なる形状の楔部材の一例を示す模式図である。
【図５】本実施形態における異なる鉄筋サイズに応じた楔部材の変更を示す根止め金具の概略正面図であり、（ａ）は小径鉄筋用、（ｂ）は大径鉄筋用の楔部材をそれぞれ示す説明図である。
【図６】従来のコンクリート型枠用根止め金具の一例を示す概略構成図であり、（ａ）は該根止め金具の構成を示すものであり、（ｂ）（ｃ）はそれぞれ該根止め金具による鉄筋挟持固定状態を示す説明図である。
【図７】一般的な鉄筋コンクリートの型枠組立状態を示す概略構成図である。
【符号の説明】
１，３１：金具本体
２，３２：主体部
３：切欠き部
４：ねじ穴
５，８：貫通孔
６，３４：楔部材
７：鉄筋押さえ部
１０：コンクリート型枠用根止め金具
２０，４２：鉄筋
２１：凸部
２５：ナット部材
２６：六角ボルト
３３：スリット開口
３５：高ナット
３６：セパレータ
３７：コーン
３８：ボルト
４０：コンクリート型枠
４１：コンクリートスラブ
【図１】
0003585119.tif 000002
【図２】
0003585119.tif 000003
【図３】
0003585119.tif 000004
【図４】
0003585119.tif 000005
【図５】
0003585119.tif 000006
【図６】
0003585119.tif 000007
【図７】
0003585119.tif 000008